(57)【要約】【課題】携帯用照明装置は一般的に、集光照明に用いられるのが主である。一方、災害時には比較的狭い範囲を照らす集光照明も重要であるが比較的広い範囲を照らす散光照明も必要であり、１台の照明装置で集光・散光照明を兼ねることが望ましい。【解決手段】電池を収納する電池収納部を設け、上方にスイッチを取り付けてなる有底の本体ケースと、この本体ケースの開口部側に、着脱自在にとりつけられた反射鏡とレンズを保持してなる前ベースと、さらに前記反射鏡と電池との間に設けられ、豆球を保持し、電池と豆球とが電気的に接続される導通片を設けた端子板とで構成され、この端子板が前記本体ケースに着脱自在に取り付けられてなるものである。【選択図】図３
2008004357.tif 000002
【特許請求の範囲】
【請求項１】
電池を収納する電池収納部を設け、上方にスイッチを取り付けてなる有底の本体ケースと、この本体ケースの開口部側に、着脱自在にとりつけられた反射鏡とレンズを保持してなる前ベースと、さらに前記反射鏡と電池との間に設けられ、豆球を保持し、電池と豆球とが電気的に接続される導通片を設けた端子板とで構成され、この端子板が前記本体ケースに着脱自在に取り付けられてなる照明装置。
【請求項２】
端子板に突起を有した弾力性のレバーを複数個設け、これらの突起が、本体ケースに設けた係止穴に着脱可能に取り付けられる構造とした請求項１記載の照明装置。
【請求項３】
端子板は、豆球が挿入、保持されるガイド筒があり、前記導通片の一端にある突片が前記ガイド筒の豆球挿入口に臨んで位置しており、豆球側に設けられた切り欠き部と突片が合わさった状態で豆球がガイド筒内に挿入され、豆球を回転させて前記切り欠き部と突片が互い違いの位置関係になることにより豆球がガイド筒に保持される請求項１記載の照明装置。
【請求項４】
取手に平行な一つの面上に電池収納部があり、前記電池収納部内では前記一つの平面上に電池が配置されるとともに、電池収納部の後部底面と前記取手の後部の突部端面とが略同一面上に位置する請求項１記載の照明装置。
【発明の詳細な説明】
【技術分野】
【０００１】
本発明は、照明装置に関するものであり、とくに携帯型と据え置き型との両方の機能を備える照明装置に関するものである。
【背景技術】
【０００２】
従来のこの種の照明装置は主に携帯用として用いられおり、その構造は、例えば特許文献１に開示されているように、反射鏡とレンズとが前ベースに圧入などにて保持され、さらに前記反射鏡の中心の筒状部に豆球が挿入されソケットが螺着され取り付けられているものが知られている。このソケットには豆球、電池を電気的に接続する導通板を有した端子板を回転自在に嵌着した構造として、この前ベース、レンズ、反射鏡、豆球、端子板からなる前ベース一体の部品を構成し、この前ベース一体部品を、電池が収納されスイッチを有した本体ケースにねじ嵌合されている。なお端子板には電池、豆球を電気的導通させるために導通片を有している。また、反射鏡は放物面で、光中心に豆球のフィラメント中心を位置あわせすることにより集光させ遠くの物が見やすいようにしているのが一般的である。
【０００３】
以上のような構成のため、前ベースを外すと豆球をふくむ端子板も一緒に外れるため照明機能はなくなり使用できないため、反射鏡をつかった集光照明しかできないこととなる。すなわちローソクのように広い範囲の散光照明をすることができない。
【特許文献１】実開昭６０−６０８０３号公報
【発明の開示】
【発明が解決しようとする課題】
【０００４】
そこで、本発明は上記従来の課題にかんがみて、携帯型として前方の比較的狭い領域を照らす集光照明もできるとともに、災害時等には据え置き型として置いたまま比較的広い範囲を照らすことができる散光照明もできる構造を提供するものである。すなわち、近年防災グッズに関心が高まる中、携帯型の照明装置は重要なアイテムであるが、災害時には携帯機能とともに部屋全体を散光照明する機能も必要であり、１台で集散光照明にも使え、携帯型と据え置き型の両方の機能を有する照明装置を提供することを目的とするものである。
【課題を解決するための手段】
【０００５】
上記目的を達成するために、本発明に係る照明装置は電池を収納する電池収納部を設け、上方にスイッチを取り付けてなる有底の本体ケースと、この本体ケースの開口部側に、ねじ嵌合にて着脱自在にとりつけられた反射鏡とレンズを保持してなる前ベースと、さらに前記反射鏡と電池との間に設けられ、豆球を保持し、電池と豆球とが電気的に接続される導通片を設けた端子板とで構成され、この端子板が前記本体ケースに着脱自在に取り付けられるとした。
【０００６】
さらに本体ケースの電池収納部は電池４個を２個ずつ水平にならべられた形状とし、かつ、取っ手は電池収納部に平行で、その上方に配置した構成としてなる。ここで電池収納部の底に相当する後部底面と前記取手の後部端面とが同一面上とした。
【発明の効果】
【０００７】
以上のような構成において、端子板を本体ケースに装着すれば、前ベースを嵌着しなくても豆球はスイッチ操作によって点灯回路は形成され照明として使用できる。すなわち反射鏡の無い状態で使用できるので広い範囲の散光照明となる。前ベースを取り付けると従
来と同じ、集光照明として使用できる。
【０００８】
端子板は弾力性のある突起を設けた上下のレバーをつまむことで簡単な操作で着脱ができる。
【０００９】
また豆球の端子板への固定も導通片の突片と豆球のフランジに設けた切欠きによって、電気的導通と豆球保持とを兼ねているため、簡単な構成としている。
【００１０】
また、本体後部底面と取っ手の突部の端面とが同一面上としているため三点支持の役目をなし、本体ケースを安定に立てることが出来、ローソクのような使用が可能である。
【発明を実施するための最良の形態】
【００１１】
以下、本発明の実施の形態について図１〜７の図面を参照しつつ詳細に説明する。図１（Ａ）は本発明の照明装置の実施の形態を示す外観側面図で、（Ｂ）は同照明装置の外観平面図、（Ｃ）は同照明装置の外観背面図である。なお以下の説明で（Ａ）の側面図でもって上、下の方向を表し、また左方向を前部、右方向を後部と表現する。本体ケース１は、前ベース２をねじ嵌合にて着脱自在に装着されている。スイッチ操作ボタン３は本体ケース１の上部に形成されている取手１ａにスライド自在に装着されている。ベルトを取り付けるための穴を有した突部１ｂ、１ｃは取っ手１ａに設けられ、そのうちケースの後部に位置する突部１ｂの端面は本体ケース１の後部底面１ｄと略同一面上にしている。
【００１２】
さらに本体ケース１は電池収納部が電池４個を２個ずつ水平にならべられ、収納部の底に図２の斜視図に示す陰極接片１２ａと陽極接片１２ｂとを備えた電池導通板１２を菊形状穴１２ｃにて固着保持し電池７の４個を直列に接続する構造としている。
【００１３】
次に図３の本体部及び前ベースの断面図にて詳細を説明する。図３は前ベース２を回転させ本体ケース１より外した時の断面図で、透明のレンズ４と放物面とした樹脂製の反射鏡５を圧入にて保持している。反射鏡の中心部には豆球６が通過できる筒５ａを形成している。電池７は２個を２列にしかも水平状に本体ケース１の電池収納部１ｅに収納されている。
【００１４】
スイッチ操作ボタン３の取手への取り付け状態を図５のスイッチ操作ボタンの取り付け状態を示す断面図にて説明する。取手１ａの断面は上部に左右に飛び出たリブ１ｈ、１ｊとをもうけ、スイッチ操作ボタン３を取手１ａに上から下方へ押し付けると爪３ｂ、３ｃにて勘合して、前記リブ１ｈ、１ｊを抱き込むように嵌着され、抜け止めになると共にスライド自在に取り付けられる。
【００１５】
次に図４の本体ケースの要部断面図および図６の端子板部分組立図を説明する。樹脂製の端子板８は上下にそれぞれ略Ｕ字状のレバー８ａ、８ｂを設け、このレバー８ａ、８ｂの中央近辺に外方向への突起８ａａ、８ｂｂを設けてなり、この突起に対応して本体ケース１の開口部近辺に係止穴１ｆ、１ｇを上下に設けている。すなわちＵ字状レバー８ａ、８ｂは弾性に富む形状とし、それを指でつまみ端子板８を本体ケース１に挿入すると、突起８ａａ、８ｂｂが本体ケースの係止穴１ｆ、１ｇに係止される。なお、係止穴１ｆはスイッチ操作ボタン３が装着される角穴で係止の役目は前方の壁となる。
【００１６】
端子板８には豆球６が挿入される円筒状のガイド筒８ｃが中央に位置している。ガイド筒８ｃの底には豆球６の底部中央の接点６ａに接触する接片９ａを臨ませてなる豆球導通片Ａ９を有し、この豆球導通片Ａ９の他方端は略Ｕ字状に折り曲げてその先端が弾性に富む形状とし電池７の陰極に接触する陰極接片Ａ９ｂを形成している。そして、端子板８のボス８ｋに菊状穴９ｃを圧入して保持する。
【００１７】
次に豆球と電池とを電気的に接続する導通片である豆球導通片、陽極導通片と、豆球６と、端子板８のガイド筒８ｃとの関係について図７にて説明する。豆球６の外側面となっている口金６ｂが他方電極となり、一部がＶ字状に切欠かかれた切欠き部６ｃを設けたフランジ６ｂｂを形成している。このフランジ６ｂｂに接触させる豆球導通片Ｂ１０は前記端子板８のガイド筒８ｃの溝８ｍに沿って配置され、豆球導通片Ｂ１０の突出部１０ｄを前記溝８ｍ部に設けたガイド８ｎの内側に位置させて外方向への飛び出し防止としている。そして豆球導通片Ｂ１０には前記Ｖ字状の切欠き部６ｃより寸法が小さく９０度に内側に曲げられてなる三角状の突片１０ａを前記端子板の中央のガイド筒８ｃの入り口部に臨ませてなり、この豆球導通片Ｂ１０の他方端は前記端子板８の底平面部で曲げて上方に延出し、さらに９０度に曲げ水平にして、スイッチの役目をするスイッチ接片１０ｂを形成する。なお、豆球導通片Ｂ１０は端子板８のボス８ｇに菊状穴１０ｃを圧入して保持する。
【００１８】
また端子板８には電池７の陽極と接触する陽極接片１１ｂを配置させてなる陽極導通片１１を前記の豆球導通片Ａ９と略反対位置に固着され、その他方端は上方に延出し、９０度後方に曲げ、さらにＵ字に曲げた後、折り返し、その途中で段１１ｄを設けたのちスイッチの役目をする他方スイッチ接片１１ａを前記のスイッチ接片１０ｂの上方位置になるよう形成している。なお、陽極導通片１１は端子板８のボス８ｈ・８ｊの二箇所に菊状穴１１ｃを圧入して保持する。
【００１９】
豆球６の挿入時は前記のＶ字状の切欠き部６ｃを三角状の突片１０ａに合せ挿入し、挿入後豆球６を回転させると豆球６のフランジ６ｃが三角状突片１０ａの内側になり豆球は前記端子板８の中央のガイド筒８ｃ内に保持され、しかもフランジ６ｂｂと突片１０ａとは電気的に導通された状態となっている。
【００２０】
また、端子板８に保持されてなる豆球導通片Ｂ１０と陽極導通片１１のそれぞれに設けたスイッチ接片１０ｂと他方スイッチ接片１１ａにおいて、陽極導通片１１の上方に設けたＵ字状の折り返し部の段１１ｄに近接してスイッチ操作ボタン３のボタン突片３ａが位置され、この操作ボタン３を前方にスライドさせた時に段１１ｄによって他方スイッチ接片１１ａが下方にたわみ、スイッチ接片１０ｂに接触する構成としている。
【産業上の利用可能性】
【００２１】
本発明は、電池を収納する電池収納室と、上方にスイッチを取り付けてなる有底の本体ケースと、この本体ケースの開口部側面に反射鏡および反射鏡の保護のレンズを保持した前ベースを着脱自在にとりつけられ、さらに前記反射鏡の中心には豆球を位置させ、電池と豆球とが電気的に接続される導通片を保持した端子板を設けてなる照明装置であるので、通常の携帯用照明装置としての使用が可能であるとともに、前ベースをはずしても豆球が本体ケースに取り付けられた状態であるので災害時等に据え置き型照明装置としても使用可能である。
【図面の簡単な説明】
【００２２】
【図１】（Ａ）本発明の照明装置の外観側面図、（Ｂ）同照明装置の外観平面図、（Ｃ）同照明装置の外観背面図
【図２】本発明の照明装置の本体ケース底部に位置する電池導通板の斜視図
【図３】（Ａ）本発明の照明装置の前ベースの断面図、（Ｂ）同照明装置の本体部の断面図
【図４】本発明の照明装置の本体ケースの要部断面図
【図５】本発明の照明装置のスイッチ操作ボタンの取り付け状態を示す断面図
【図６】（Ａ）同照明装置の端子板部分の外観平面図、（Ｂ）本発明の照明装置の端子板部分組立図
【図７】本発明の照明装置の豆球、端子板ガイド筒、導通板の部品関係を示す図
【符号の説明】
【００２３】
１      本体ケース
１ａ        取手
１ｂ    突部
１ｄ    後部底面
１ｅ    電池収納部
１ｆ、１ｇ  係止穴
２      前ベース
３      スイッチ操作ボタン
３ａ    ボタン突片
４      レンズ
５      反射鏡
６      豆球
６ａ    接点
６ｃ    切欠き部
７      電池
８      端子板
８ａ、８ｂ  レバー
８ａａ、８ｂｂ  突起
８ｃ    ガイド筒
８ｍ    溝
９      豆球導通片Ａ
９ａ    接片
９ｂ    陰極接片Ａ
１０    豆球導通片Ｂ
１０ａ  突片
１０ｂ  スイッチ接片
１１    陽極導通片
１１ａ  他方スイッチ接片
１２    電池導通板
【図１】
2008004357.tif 000003
【図２】
2008004357.tif 000004
【図３】
2008004357.tif 000005
【図４】
2008004357.tif 000006
【図５】
2008004357.tif 000007
【図６】
2008004357.tif 000008
【図７】
2008004357.tif 000009